(57)【特許請求の範囲】
【請求項１】
扇風機の送風ファンガードを包覆する微風生成ネットであって、
前記微風生成ネットは、扇風機の送風ファンガードの前半分を包覆する網目ネットと、該周縁を包覆する係止バンドで構成され、
前記網目ネットは、伸縮性と柔軟性を備える複数の繊維糸で撚られた風圧抵抗を有する嵩高系加工糸で形成されると共に、扇風機の風量に適した所定の大きさの通風網目を形成して成り、
前記係止バンドは、伸縮性と柔軟性を備える締付帯で形成されて前記網目ネットの周縁に連結されると共に、後半分が全面的に開放される開口部を形成して成り、
扇風機の送風ファンガードの前半分を前記微風生成ネットで包覆することで、送風ファンによって人工的に生成される断続的なムラのある風を風圧抵抗を有する網目ネットの通風網目に通過させて細分化することによって、自然風に近いやわらかな微風に生成することができることを特徴とする扇風機用の微風生成ネット。
【請求項２】
前記網目ネット内に収まる形状の風量調節用網目ネットを扇風機の送風ファンガードと前記網目ネットの間に装着して前記風量調節用網目ネットと前記網目ネットの通風網目の位置をずらした状態で装着することによって、扇風機から送出される風の風圧抵抗を任意に調節することができることを特徴とする請求項１記載の扇風機用の微風生成ネット。
【請求項３】
壁掛け用の室内クーラーを包覆する微風生成ネットであって、
前記微風生成ネットは、室内クーラーの前半分を包覆する網目ネットと、該周縁を包覆する係止バンドで構成され、
前記網目ネットは、伸縮性と柔軟性を備える複数の繊維糸で撚られた風圧抵抗を有する嵩高系加工糸で形成されると共に、室内クーラーの風量に適した所定の大きさの通風網目を形成して成り、前面には室内の空気が吸入される空気吸入口を設け、前面下方一端にはリモコンスイッチの受光部穴を形成して前記係止バンドに連結されて成り、
前記係止バンドは、伸縮性と柔軟性を備える締付帯で形成されて前記網目ネットの周縁に連結されると共に、後半分が全面的に開放される開口部を形成して成り、
室内クーラーの前半分を前記微風生成ネットで包覆することで、送風ファンによって人工的に生成される断続的なムラのある風を風圧抵抗を有する網目ネットの通風網目に通過させて細分化することによって、自然風に近いやわらかな微風に生成することができることを特徴とする室内クーラー用の微風生成ネット。
【請求項４】
前記網目ネット内に収まる形状の風量調節用の網目ネットを前記網目ネットと室内クーラーの冷気排出口の間に装着して前記風量調節用網目ネットと前記網目ネットの通風網目の位置をずらした状態で装着することによって、室内クーラーの冷気排出口から排出される風の風圧抵抗を任意に調節することができることを特徴とする請求項３記載の室内クーラー用の微風生成ネット。
【発明の詳細な説明】
【技術分野】
【０００１】
本発明は、送風ファンによって人工的に生成される断続的なムラのある風を風圧抵抗を有する網目ネットの通風網目に通過させて細分化することによって、自然風に近いやわらかな微風に生成することができる扇風機用ならびに室内クーラー用の微風生成ネットに関する。
【背景技術】
【０００２】
従来より、扇風機の送風ファンガードに網目ネットを装着して空気中の塵埃や煙を除去したり、冷却材や芳香剤を備えて清涼効果やアロマ効果が得られる扇風機用の網目ネットが多数提案されている。
【０００３】
例えば、空気中の塵埃や煙を除去する網目ネットを用いた扇風機の提案としては、
「扇風機用集塵フィルター」（特許文献１参照）が提案されている。
【０００４】
また、冷却材を備えて清涼効果が得られる扇風機の提案としては、「扇風機のカバー用のシート」（特許文献２参照）や、科学物質除去フィルターを備えて空気清浄効果が得られる「空気清浄機」（特許文献３参照）が提案されている。
【０００５】
しかしながら上記の扇風機の送風ファンによって得られる風は、電動モータの回転によって人工的に生成される断続的なムラのある風となるため、扇風機を使用する人にとっては風が強く当たり過ぎることから、喉の変調ならびに体温の急激な変化や、人肌や眼の乾燥具合を進行させてしまうなどの健康的な問題があるものであった。
【０００６】
また上記の扇風機の送風ファンガードを包覆する網目ネットの構造ならびに装着手段は、扇風機の送風ファンガードの後半分を包覆する手段を採用していることによって必要とする風量が充分に確保できない構造であることや、扇風機の送風ファンガードの前半分に風圧抵抗の少ない構造の網目ネットを設けることを前提とするどちらか一方または両方の装着手段を採用しているため、自然風に近いやわらかな微風を得ることができないものだった。
【０００７】
一方、羽根の枚数が異なる二重構造の送風ファンで２種類の風を発生させると共に回転モーターを低回転させることによって、風量を確保しつつ、自然風に近い風を生み出すことができる「軸流ファン」（特許文献４参照）が提案されている。
【０００８】
しかしながら、かかる「軸流ファン」の提案は、扇風機の送風ファンの羽根の枚数の異なる二重構造であるため、構造的に複雑であると共に、重量的に重く、さらに製品価格が従来の扇風機の販売価格に対して５〜７倍にもなることから、一般家庭においては購入することが難しいものであった。
【０００９】
本出願人は、従来の扇風機の送風ファンガードを包覆して冷却効果やアロマ効果ならびに防塵効果が得られる扇風機用の網目ネットに着目し、該網目ネットの通風網目に従来とは真逆な風圧抵抗を持たせることによって、自然風に近いやわらかな微風を生成することができないものかという着想の下、送風ファンによって人工的に生成される断続的なムラのある風を風圧抵抗を有する網目ネットの通風網目に通過させて細分化することによって、自然風に近いやわらかな微風に生成することができる扇風機用ならびに室内クーラー用の微風生成ネットを開発し、本発明における「扇風機用ならびに室内クーラー用の微風生成ネット」の提案に至るものである。
【先行技術文献】
【特許文献】
【００１０】
【特許文献１】特開２００４−１４４００３号
【特許文献２】特開２００３−３０１７９１号
【特許文献３】特開２００３−２６９７５７号
【特許文献４】特開２０１１−２５６８７６号
【発明の概要】
【発明が解決しようとする課題】
【００１１】
本発明は、上記問題点に鑑み、送風ファンによって人工的に生成される断続的なムラのある風を風圧抵抗を有する網目ネットの通風網目に通過させて細分化することによって、自然風に近いやわらかな微風に生成することができる扇風機用ならびに室内クーラー用の微風生成ネットの提供を図ることを目的とする。
【課題を解決するための手段】
【００１２】
本発明は上記課題を解決するためになされるもので、本発明の扇風機用の微風生成ネットは、扇風機の送風ファンガードを包覆する微風生成ネットであって、前記微風生成ネットは、扇風機の送風ファンガードの前半分を包覆する網目ネットと、該周縁を包覆する係止バンドで構成され、前記網目ネットは、伸縮性と柔軟性を備える複数の繊維糸で撚られた風圧抵抗を有する嵩高系加工糸で形成されると共に、扇風機の風量に適した所定の大きさの通風網目を形成して成り、前記係止バンドは、伸縮性と柔軟性を備える締付帯で形成されて前記網目ネットの周縁に連結されると共に、後半分が全面的に開放される開口部を形成して成り、扇風機の送風ファンガードの前半分を前記微風生成ネットで包覆することで、送風ファンによって人工的に生成される断続的なムラのある風を風圧抵抗を有する網目ネットの通風網目に通過させて細分化することによって、自然風に近いやわらかな微風に生成することができる手段を採る。
【００１３】
また本発明の扇風機用の微風生成ネットは、前記網目ネット内に収まる形状の風量調節用網目ネットを扇風機の送風ファンガードと前記網目ネットの間に装着して、前記風量調節用網目ネットと前記網目ネットの通風網目の位置をずらした状態で装着することによって、扇風機から送出される風の風圧抵抗を任意に調節することができる手段を採る。
【００１４】
また本発明の室内クーラーの微風生成ネットは、壁掛け用の室内クーラーを包覆する微風生成ネットであって、前記微風生成ネットは、室内クーラーの前半分を包覆する網目ネットと、該周縁を包覆する係止バンドで構成され、前記網目ネットは、伸縮性と柔軟性を備える複数の繊維糸で撚られた風圧抵抗を有する嵩高系加工糸で形成されると共に、室内クーラーの風量に適した所定の大きさの通風網目を形成して成り、前面には室内の空気が吸入される空気吸入口を設け、前面下方一端にはリモコンスイッチの受光部穴を形成して前記係止バンドに連結されて成り、前記係止バンドは、伸縮性と柔軟性を備える締付帯で形成されて前記網目ネットの周縁に連結されると共に、後半分が全面的に開放される開口部を形成して成り、室内クーラーの前半分を前記微風生成ネットで包覆することで、送風ファンによって人工的に生成される断続的なムラのある風を風圧抵抗を有する網目ネットの通風網目に通過させて細分化することによって、自然風に近いやわらかな微風に生成することができる手段を採る。
【００１５】
また本発明の室内クーラー用の微風生成ネットは、前記網目ネット内に収まる形状の風量調節用の網目ネットを前記網目ネットと室内クーラーの冷気排出口の間に装着して、前記風量調節用網目ネットと前記網目ネットの通風網目の位置をずらした状態で装着することによって、室内クーラーの冷気排出口から排出される風の風圧抵抗を任意に調節することができる手段を採る。
【発明の効果】
【００１７】
本発明の扇風機用の微風生成ネットによれば、扇風機の送風ファンガードの前半分を伸縮性と柔軟性を備える複数の繊維糸で撚られた風圧抵抗を有する嵩高系加工糸で形成される微風生成ネットで包覆することで、送風ファンによって人工的に生成される断続的なムラのある風を風圧抵抗を有する網目ネットの通風網目に通過させて細分化することによって、自然風に近いやわらかな微風に生成することができるといった優れた効果を奏する。
【００１８】
また本発明の扇風機用の微風生成ネットによれば、伸縮性と柔軟性を備える複数の繊維糸で撚られた風圧抵抗を有する嵩高系加工糸で形成される風量調節用網目ネットを扇風機の送風ファンガードと微風生成ネットの間に装着して、風量調節用網目ネットと網目ネットの通風網目の位置をずらした状態で包覆することによって、扇風機の送風スイッチの「強・中・弱」の状態に合わせて自然風に近いやわらかな微風の風量を６段階（２枚×３段階）に亘って任意に調節することができるといった優れた効果を奏する。
【００１９】
また本発明の扇風機用の微風生成ネットによれば、風量調節用網目ネットを扇風機の送風ファンガードと微風生成ネットの間にコンパクトに折り畳んで収納することができるといった優れた効果を奏する。
【００２０】
また本発明の室内クーラー用の微風生成ネットによれば、室内クーラーの冷気排出口に伸縮性と柔軟性を備える複数の繊維糸で撚られた風圧抵抗を有する嵩高系加工糸で形成される網目ネットを装着することで、送風ファンによって人工的に生成される断続的なムラのある風（冷気）を風圧抵抗を有する網目ネットの通風網目に通過させて細分化することによって、自然風に近いやわらかな微風（冷気）に生成することができるといった優れた効果を奏する。
【００２１】
また本発明の室内クーラー用の微風生成ネットによれば、伸縮性と柔軟性を備える複数の繊維糸で撚られた風圧抵抗を有する嵩高系加工糸で形成される風量調節用網目ネットを室内クーラーの冷気排出口と微風生成ネットの間に装着して、風量調節用網目ネットと網目ネットの通風網目の位置をずらした状態で装着することによって、室内クーラーの送風スイッチの状態に合わせて自然風に近いやわらかな微風（冷気）の風量を任意に調節することができるといった優れた効果を奏する。
【００２２】
また本発明の室内クーラー用の微風生成ネットによれば、風量調節用網目ネットを室内クーラーと微風生成ネットの間にコンパクトに折り畳んで収納できるといった優れた効果を奏する。
【図面の簡単な説明】
【００２４】
【図１】本発明の扇風機用の微風生成ネットにおける請求項１記載の実施形態を示す説明図である。（実施例１）
【図２】本発明の扇風機用の微風生成ネットにおける請求項２記載の実施形態を示す説明図である。（実施例２）
【図３】本発明の室内クーラー用の微風生成ネットにおける請求項３記載の実施形態を示す説明図である。（実施例３）
【図４】本発明の室内クーラー用の微風生成ネットにおける請求項４記載の実施形態を示す説明図である。（実施例４）
【発明を実施するための形態】
【００２５】
本発明の扇風機用の微風生成ネット１０は、扇風機３０の送風ファンガード３１を包覆する微風生成ネット１０であって、微風生成ネット１０は、扇風機３０の送風ファンガード３１の前半分を包覆する網目ネット２０と、該周縁を包覆する係止バンド２４で構成され、網目ネット２０は、伸縮性と柔軟性を備える複数の繊維糸で撚られた風圧抵抗を有する嵩高系加工糸で形成されると共に、扇風機３０の風量に適した所定の大きさの通風網目２２を形成して成り、係止バンド２４は、伸縮性と柔軟性を備える締付帯で形成されて網目ネット２０の周縁に連結すると共に、後半分が全面的に開放される開口部２５を形成して成り、扇風機３０の送風ファンガード３１の前半分を微風生成ネット１０で包覆することで、送風ファンによって人工的に生成される断続的なムラのある風を風圧抵抗を有する網目ネット２０の通風網目２２に通過させて細分化することによって、自然風に近いやわらかな微風に生成することができる手段を採ったことを最大の特徴とする。以下、本発明の実施形態を図面を基に説明する。
【００２６】
尚、本発明における扇風機用ならびに室内クーラー用の微風生成ネット１０は、以下に述べる実施例に限定されるものではなく、本発明の技術的思想の範囲内、すなわち同一の作用効果を発揮できる形状及び寸法の範囲内で適宜変更することができる。
【実施例１】
【００２７】
図１は、本発明の扇風機用の微風生成ネットにおける請求項１記載の実施形態を示す説明図である。
図１（a）は微風生成ネット１０の表側の全体図を示し、図１（b）は微風生成ネット１０の裏側の全体図を示す。
本発明の扇風機用の微風生成ネット１０は、扇風機３０の送風ファンガード３１を抱覆する微風生成ネット１０であって、該微風生成ネット１０は、扇風機３０の送風ファンガード３１の前半分を包覆する網目ネット２０と、該周縁を包覆・固定する係止バンド２４で構成される。
【００２８】
網目ネット２０は、伸縮性と柔軟性を備える複数の繊維糸で撚られた風圧抵抗を有する嵩高系加工糸で形成されると共に、扇風機３０の風量に適した所定の大きさの通風網目２２を形成して成る。また寸法的形状としては、例えば複数本の化学繊維や天然繊維の糸を略１〜２ｍｍ程度の太さに撚った網糸で略３〜５ｍｍ程度の大きさの円形や多角形の通風網目２２を連続的に編み上げて扇風機３０の送風ファンガード３１の前半分を包覆する形状に形成される。
尚、網目ネット２０は上記嵩高系加工糸以外の通風網目２２で形成することもできるもので、例えば、風圧抵抗効果はやや劣るが、略１〜２ｍｍ程度の太さの化学繊維ならびに天然繊維の単糸または合成樹脂シートに複数の通風孔を開けたものなどで代用することもできる。
【００２９】
係止バンド２４は、伸縮性と柔軟性を備える締付帯で形成されて網目ネット２０の周縁に連結されると共に、後半分が全面的に開放される開口部２５を形成して、扇風機３０の送風ファンガード３１の周縁に包覆・固定されるもので、係止バンド２４が伸縮性と柔軟性を備えることによって、１種類の微風生成ネット１０で大きさや種類の異なる既存の扇風機に後付けで装着することができる。
【００３０】
図１（ｃ）は本発明の扇風機用の微風生成ネット１０の使用状態を示す説明図である。
使用時においては、扇風機３０の送風ファンガード３１の前半分を網目ネット２０で包覆し、係止バンド２４で該送風ファンガード３１の周縁を包覆・固定することによって、送風ファンガード３１の後方から空気が効率よく取り込まれると共に、複数の繊維糸で撚られた風圧抵抗を有する嵩高系加工糸で形成された微風生成ネット１０で扇風機３０の送風ファンガード３１の前半分を包覆・固定して使用される。
【００３１】
以上で構成される扇風機用の微風生成ネット１０は、単に扇風機３０の送風ファンガード３１の前半分を微風生成ネット１０で包覆することで、送風ファンによって人工的に生成される断続的なムラのある風を風圧抵抗を有する網目ネット２０の通風網目２２に通過させて細分化することによって、自然風に近いやわらかな微風に生成することができる。さらに扇風機３０の送風スイッチの「強・中・弱」の状態に合わせて自然風に近いやわらかな微風の風量を６段階（２枚×３段階）に亘って任意に調節することができるもので、従来の扇風機の送風ファンガードの後半分が網目ネットで包覆されることによって必要とする風量が充分に確保できない構造や、扇風機の送風ファンガードの前半分に風圧抵抗の少ない網目ネットを設けることを前提とするどちらか一方または両方の構造ならびに装着手段を備えた従来の扇風機用の網目ネットと、本発明の扇風機用の微風生成ネット１０とは、その目的と構造と作用効果が大きく異なるものである。
【実施例２】
【００３２】
図２は、本発明の扇風機用の微風生成ネットにおける請求項２記載の実施形態を示す説明図である。
本発明の扇風機用の微風生成ネット１０は、網目ネット２０内に収まる形状の風量調節用網目ネット２１を扇風機３０の送風ファンガード３１と網目ネット２０の間に装着して、風量調節用網目ネット２１と網目ネット２０の通風網目２２の位置をずらした状態で装着することによって、扇風機３０から送出される風の風圧抵抗を任意に調節することができる。
【００３３】
風量調節用網目ネット２１は、請求項１記載の網目ネット２０と同じ伸縮性と柔軟性を備える複数の繊維糸で撚られた風圧抵抗を有する嵩高系加工糸で形成されると共に、扇風機３０の風量に適した所定の大きさの通風網目２２を形成して成る。
また風量調節用網目ネット２１を用いた使用状態では、扇風機３０の送風スイッチが「強」の状態で使用されるもので、扇風機３０の送風ファンガード３１を網目ネット２０で包覆し、さらに風量調節用網目ネット２１を扇風機３０の送風ファンガード３１と網目ネット２０の間に装着して、風量調節用網目ネット２１と網目ネット２０の通風網目２２の位置をずらした状態で使用される。また寸法的形状としては、例えば複数本の化学繊維や天然繊維の糸を略１〜２ｍｍ程度の太さに撚った網糸で略３〜５ｍｍ程度の大きさの円形や多角形の通風網目２２を連続的に編み上げて扇風機３０の送風ファンガード３１の前半分を包覆する形状ならびに網目ネット２０内に収まる形状に形成される。
尚、風量調節用網目ネット２１の通風網目２２の大きさは網目ネット２０と比較して同じ場合と細かくした場合が考えられるが、二重に包覆することで互いの通風網目２２が微妙にずれた状態で装着されることによって通風網目２２の細分化が図れることから、異なった大きさの通風網目２２の網目ネット２０を使用することもできる。
【００３４】
また扇風機３０の風量スイッチが「中・弱」の場合は、単に網目ネット２０で扇風機３０の送風ファンガード３１を包覆することによって、自然風に近いやわらかな微風に生成することができると共に、扇風機３０の風量スイッチが「強」の場合は、網目ネット２０と風量調節用網目ネット２１を二重に装着することで、「中・弱」の場合と同様に自然風に近いやわらかな微風に生成することができる。
【００３５】
以上で構成される扇風機用の微風生成ネット１０は、扇風機３０の送風ファンガード３１の後方から空気が効率よく取り込まれると共に、複数の繊維糸で撚られた風圧抵抗を有する嵩高系加工糸で形成された微風生成ネット１０と風量調節用網目ネット２１で扇風機３０の送風ファンガード３１を二重に包覆することで、送風ファンによって人工的に生成される断続的なムラのある風を風圧抵抗を有する網目ネット２０の通風網目２２に通過させて細分化することによって、自然風に近いやわらかな微風に生成することができる。また、風量調節用網目ネット２１を使用しない時は、扇風機３０の送風ファンガード３１と網目ネット２０の間にコンパクトに折り畳んで収納することができる。
【実施例３】
【００３６】
図３は、本発明の室内クーラー用の微風生成ネットにおける請求項３記載の実施形態を示す説明図である。
図３（a）は微風生成ネット１０の表側の全体図を示し、図３（b）は微風生成ネット１０の裏側の全体図を示す。
本発明の室内クーラー用の微風生成ネット１０は、壁掛け用の室内クーラー４０の前半分を包覆する微風生成ネット１０であって、該微風生成ネット１０は、室内クーラー４０の前半分を包覆するに網目ネット２０と、室内クーラー４０の周縁を包覆する係止バンド２４で構成される。
【００３７】
網目ネット２０は、伸縮性と柔軟性を備える複数の繊維糸で撚られた風圧抵抗を有する嵩高系加工糸で形成されると共に、室内クーラー４０の風量に適した所定の大きさの通風網目２２を形成して成り、前面には室内の空気が吸入される空気吸入口２３を設け、前面下方一端にはリモコンスイッチの受光部穴２６を形成して係止バンド２４に連結される。また寸法的形状としては、例えば複数本の化学繊維や天然繊維の糸を略１〜２ｍｍ程度の太さに撚った網糸で略３〜５ｍｍ程度の大きさの円形や多角形の通風網目２２を連続的に編み上げて室内クーラー４０の前半分を包覆する形状に形成される。
【００３８】
係止バンド２４は、伸縮性と柔軟性を備える取付帯で形成され、室内クーラー４０の周縁に連結すると共に、後半分が全面的に開放される開口部２５を形成して室内クーラー４０の周縁を包覆・固定する形状に形成される。
【００３９】
図３（ｃ）は本発明の室内クーラー用の微風生成ネットの使用状態を示す説明図である。
使用時においては、網目ネット２０で室内クーラー４０の前半分を包覆し、係止バンド２４で室内クーラー４０の周縁を包覆・固定することによって、微風生成ネット１０の空気吸入口２３から吸い込まれる空気を効率よく取り込むことができる。
【００４０】
以上で構成される室内クーラー用の微風生成ネット１０は、単に室内クーラー４０の前半分を微風生成ネット１０で包覆することで、室内クーラー４０で生成される風(冷気)が、風圧抵抗を有する網目ネット２０の通風網目２２に通過させて細分化することによって、自然風に近いやわらかな微風（冷気）に生成することができる。
また、室内クーラー４０の冷気拡散ルーバーが室内クーラー４０の筐体から突出する構造の場合は、発泡スチロール製の枠体フレームを介在させた状態において微風生成ネット１０で室内クーラー４０の前半分を包覆することによって、冷気拡散ルーバーの作動に支障なく取り付けることができる。また、上記枠体フレームに網目ネット２０を室内クーラー４０の前面に貼り付けて簡易的な微風生成ネット１０とすることもできる。
【実施例４】
【００４１】
図４は、本発明の室内クーラー用の微風生成ネットにおける請求項４記載の実施形態を示す説明図である。
網目ネット２０内に収まる形状の風量調節用の網目ネット２１を網目ネット２０と室内クーラー４０の冷気排出口４１の間に装着して、風量調節用網目ネット２１と網目ネット２０の通風網目２２の位置をずらした状態で装着することによって、室内クーラー４０の冷気排出口４１から排出される風（冷気）の風圧抵抗を任意に調節することができる。
【００４２】
風量調節用網目ネット２１は、網目ネット２０内に収まる形状を有して伸縮性と柔軟性を備える複数の繊維糸で撚られた風圧抵抗を有する嵩高系加工糸で形成されると共に、室内クーラー４０の風量に適した所定の大きさの通風網目２２を形成して成る。  使用時においては、室内クーラー４０の送風スイッチが「強レンジ」の状態で使用されるもので、室内クーラー４０の冷気排出口４１の間に二重に装着されて、風量調節用網目ネット２１と網目ネット２０の通風網目２２の位置をずらした状態で装着されることによって室内クーラー４０の冷気排出口４１から排出される風（冷気）の風圧抵抗を任意に調節することができる。また、寸法的な形状としては、例えば複数本の化学繊維や天然繊維の糸を略１〜２ｍｍ程度の太さに撚って網糸を形成し、略３〜５ｍｍ程度の大きさの円形や多角形の通風網目２２を連続的に編み上げて室内クーラー４０の前半分を包覆する形状ならびに網目ネット２０内に収まる形状に形成される。
尚、風量調節用網目ネット２１の通風網目２２の大きさは網目ネット２０と比較して同じ場合と細かくした場合が考えられるが、二重に装着することで互いの通風網目２２が微妙にずれた状態で装着されることから、異なった大きさの通風網目２２の網目ネット２０を使用することができる。
【００４３】
室内クーラー４０の送風スイッチが「弱・中レンジ」の場合は、単に微風生成ネット１０で室内クーラー４０を包覆することよって自然風に近いやわらかな微風（冷気）に生成することができるもので、室内クーラー４０の送風スイッチが「強レンジ」の場合は、微風生成ネット１０と風量調節用網目ネット２１とで室内クーラー４０を二重に装着することによって、上記同様に自然風に近いやわらかな微風（冷気）に生成することができる。
【００４４】
以上で構成される室内クーラー用の微風生成ネット１０は、単に室内クーラー４０の冷機排出口４１に網目ネット２０と風量調節用網目ネット２１とで二重に装着することで、自然風に近いやさしい微風（冷気）に生成することができるもので、さらに室内クーラー４０の送風スイッチの「強・中・弱レンジ」の状態に合わせて自然風に近い微風の風量を任意に調節して室内クーラー４０を運転することができる。また、使用しないときは、風量調節用網目ネット２１を室内クーラー４０と微風生成ネット１０の間にコンパクトに折り畳んで収納することができる。
【産業上の利用可能性】
【００４８】
本発明の扇風機用ならびに室内クーラー用の微風生成ネットは、二重に包覆したり、任意にずらすことによって、扇風機の送風スイッチの「強・中・弱」の状態に合わせて風量を任意に調節することができることから、本発明における「扇風機用ならびに室内クーラー用の微風生成ネット」の産業上の利用可能性は極めて高いものと解する。
【符号の説明】
【００４９】
１０  微風生成ネット
２０  網目ネット
２１  風量調節用網目ネット
２２  通風網目
２３  空気吸入口
２４  係止バンド
２５  開口部
２６  受光部穴
３０  扇風機
３１  送風ファンガード
４０  室内クーラー
４１  冷気排出口
【要約】
【課題】送風ファンによって人工的に生成される断続的なムラのある風を風圧抵抗を有する網目ネットの通風網目に通過させて細分化することによって、自然風に近いやわらかな微風に生成することができる扇風機用ならびに室内クーラー用の微風生成ネットの提供を図る。
【解決手段】本発明の扇風機用の微風生成ネットは、扇風機の送風ファンガードを包覆する微風生成ネットであって、該微風生成ネットは、扇風機の送風ファンガードの前半分を包覆する網目ネットと、該周縁を包覆する係止バンドで構成され、網目ネットは、伸縮性と柔軟性を備える複数の繊維糸で撚られた風圧抵抗を有する嵩高系加工糸で形成されると共に、扇風機の風量に適した所定の大きさの通風網目を形成して成り、係止バンドは、伸縮性と柔軟性を備える締付帯で形成されて網目ネットの周縁に連結すると共に、後半分が全面的に開放される開口部を形成して成る手段を採る。
【選択図】図１【図１】
0005684940.tif 000002
【図２】
0005684940.tif 000003
【図３】
0005684940.tif 000004
【図４】
0005684940.tif 000005